(57)【要約】【課題】収納ボックスの形状によらず、スイッチと蓋の開閉動作を連動させることができる点灯装置を提供する。【解決手段】点灯装置１は本体３を有し、本体３の内部には発光部１７ａが設けられている。発光部１７ａには、傾斜スイッチ１３が接続されており、傾斜スイッチ１３には、メインスイッチ９が接続されている。  メインスイッチ９には、電池５ａ、５ｂ、５ｃが接続されている。  電池５ａ、５ｂ、５ｃは発光部１７ａに接続されている。  傾斜スイッチ１３は、本体３の傾斜角度によって電力のオン／オフを行う。  点灯装置１は、メインスイッチ９と傾斜スイッチ１３がオンになれば、電池５ａ、５ｂ、５ｃから発光部１７ａに電力が供給され、発光部１７ａは点灯する。【選択図】図１
2008041344.tif 000002
【特許請求の範囲】
【請求項１】
本体と、
前記本体に設けられた第１の発光部と、
前記第１の発光部に電力を供給する給電部と、
前記第１の発光部と前記給電部の間に設けられ、前記本体の傾斜角度によって、前記給電部から前記発光部に供給される電力のオン／オフを行う傾斜スイッチと、を有することを特徴とする点灯装置
【請求項２】
前記傾斜スイッチは、
前記第１の発光部に接続され、磁性体からなる第１の端子と、
前記給電部に接続され、磁性体からなり、前記第１の端子に近接して設けられた第２の端子と、
前記第１の端子および前記第２の端子に近接して設けられた箱状のケースと、
前記ケース内を移動可能に設けられた磁石と、
を有し、
前記本体を傾斜させると、前記磁石が前記ケース内を移動し、前記磁石が前記第１の端子および前記第２の端子に接近すると、前記第１の端子および前記第２の端子が前記磁石に引き寄せられることにより接触し、前記給電部から前記発光部に電力が供給され、前記発光体が点灯することを特徴とする請求項２記載の点灯装置。
【請求項３】
前記ケース内を移動可能に設けられた重りをさらに有し、
前記第１の端子および前記第２の端子が前記磁石に引き寄せられた状態で前記本体を傾斜させると、前記重りが前記磁石を押圧することにより、前記磁石が前記第１の端子および前記第２の端子から離れて移動し、前記給電部から前記発光部への電力の供給が断たれて前記発光体が消灯することを特徴とする請求項２記載の点灯装置。
【請求項４】
前記給電部と前記傾斜スイッチの間に設けられた第１のスイッチをさらに有し、
前記第１のスイッチをオフにすると、前記傾斜スイッチのオン／オフに関係なく、前記発光部が点灯しないことを特徴とする請求項１記載の点灯装置。
【請求項５】
前記本体に設けられ、前記給電部および前記傾斜スイッチに接続された第２の発光部をさらに有し、
前記傾斜スイッチは
前記第２の発光部に接続され、磁性体からなる第３の端子と、
前記給電部に接続され、磁性体からなり、前記第３の端子に近接して設けられた第４の端子と、を有し、
前記第３の端子および前記第４の端子は、前記第１の端子および前記第２の端子とは離間して設けられ、
前記本体を傾斜させると、前記磁石が前記ケース内を移動し、前記磁石が前記第３の端子および前記第４の端子に接近すると、前記第３の端子および前記第４の端子が前記磁石に引き寄せられることにより接触し、前記給電部から前記発光部に電力が供給され、前記発光体が点灯することを特徴とする請求項３記載の点灯装置。
【請求項６】
前記第１のスイッチと、前記発光部の間に設けられた第２のスイッチをさらに有し、
前記第２のスイッチをオンにすると、前記傾斜スイッチのオン／オフに関係なく、前記発光部が点灯することを特徴とする請求項１記載の点灯装置。
【請求項７】
前記給電部は、前記本体に設けられた電池であることを特徴とする請求項１記載の点灯装置。
【請求項８】
前記給電部は、前記本体に設けられた電源アダプタであることを特徴とする請求項１記載の点灯装置。
【請求項９】
上面が開放された箱体と、前記上面に開閉可能に設けられた蓋と、を有する収納ボックスであって、
前記蓋には請求項１記載の点灯装置が設けられていることを特徴とする収納ボックス。
【発明の詳細な説明】
【技術分野】
【０００１】
本発明は、点灯装置および収納ボックスに関するものである。
【背景技術】
【０００２】
従来、内部に工具、釣り道具、医薬品等を収納する収納ボックスには、種々の構造を有するものが知られている。
【０００３】
中でも、夜間の作業や夜釣りなどのように、暗い場所で使用するために用いられる収納ボックスは、内部に点灯装置が設けられている場合がある。
【０００４】
点灯装置には点灯、消灯のためのスイッチが設けられる。
スイッチとしては、使用者が直接ボタンやレバー等のスイッチを操作する方式が一般的である。
【０００５】
一方、収納ボックスを暗い場所で使用する場合には、使用者にはスイッチの場所がわからない場合があるため、スイッチと蓋の開閉動作を連動させ、蓋を開けるとスイッチが入って点灯装置が点灯する構造としているものがある。
【０００６】
例えば、蓋が閉じた状態では、ボタンやレバー等のスイッチが蓋や本体と接触するような構造にすれば、蓋が閉じた状態では、蓋や本体にスイッチが押圧されてオフになり、点灯装置が消灯し、蓋が開くと、スイッチが開放され、スイッチがオンになって点灯装置が点灯する。
このような構造としては、以下のようなものが知られている（特許文献１）。
【特許文献１】特開平７-２３２７７５号公報
【発明の開示】
【発明が解決しようとする課題】
【０００７】
しかしながら、このような構造では、収納ボックスの形状によって、スイッチが、蓋や本体と接触する部分の形状が異なるため、収納ボックスの形状に応じて、収納ボックスや点灯装置の加工が必要であり、生産性が悪く、コストがかかるという問題があった。
【０００８】
本発明は、このような問題に鑑みてなされたもので、その目的は収納ボックスの形状によらず、スイッチと蓋の開閉動作を連動させることができる点灯装置を提供することにある。
【課題を解決するための手段】
【０００９】
前述した目的を達成するために、第１の発明は、本体と、前記本体に設けられた第１の発光部と、前記第１の発光部に電力を供給する給電部と、前記第１の発光部と前記給電部の間に設けられ、前記本体の傾斜角度によって、前記給電部から前記発光部に供給される電力のオン／オフを行う傾斜スイッチと、を有することを特徴とする点灯装置である。
【００１０】
前記傾斜スイッチは、前記第１の発光部に接続され、磁性体からなる第１の端子と、前記給電部に接続され、磁性体からなり、前記第１の端子に近接して設けられた第２の端子と、前記第１の端子および前記第２の端子に近接して設けられた箱状のケースと、前記ケース内を移動可能に設けられた磁石と、を有し、前記本体を傾斜させると、前記磁石が前記ケース内を移動し、前記磁石が前記第１の端子および前記第２の端子に接近すると、前記第１の端子および前記第２の端子が前記磁石に引き寄せられることにより接触し、前記給電部から前記発光部に電力が供給され、前記発光体が点灯する。
【００１１】
また、前記傾斜スイッチは、前記ケース内を移動可能に設けられた重りをさらに有し、前記第１の端子および前記第２の端子が前記磁石に引き寄せられた状態で前記本体を傾斜させると、前記重りが前記磁石を押圧することにより、前記磁石が前記第１の端子および前記第２の端子から離れて移動し、前記給電部から前記発光部への電力の供給が断たれて前記発光体が消灯してもよい。
【００１２】
前記点灯装置は、前記給電部と前記傾斜スイッチの間に設けられた第１のスイッチをさらに有し、前記第１のスイッチをオフにすると、前記傾斜スイッチのオン／オフに関係なく、前記発光部が点灯しない構造としてもよい。
あるいは、前記点灯装置は、前記本体に設けられ、前記給電部および前記傾斜スイッチに接続された第２の発光部をさらに有し、前記傾斜スイッチは前記第２の発光部に接続され、磁性体からなる第３の端子と、前記給電部に接続され、磁性体からなり、前記第３の端子に近接して設けられた第４の端子と、を有し、前記第３の端子および前記第４の端子は、前記第１の端子および前記第２の端子とは離間して設けられ、前記本体を傾斜させると、前記磁石が前記ケース内を移動し、前記磁石が前記第３の端子および前記第４の端子に接近すると、前記第３の端子および前記第４の端子が前記磁石に引き寄せられることにより接触し、前記給電部から前記発光部に電力が供給され、前記発光体が点灯する構造としてもよい。
【００１３】
また、前記点灯装置は、前記第１のスイッチと、前記発光部の間に設けられた第２のスイッチをさらに有し、前記第２のスイッチをオンにすると、前記傾斜スイッチのオン／オフに関係なく、前記発光部が点灯してもよい。
前記給電部は、例えば前記本体に設けられた電池であってもよいし、前記本体に設けられた電源アダプタであってもよい。
【００１４】
第２の発明は、上面が開放された箱体と、前記上面に開閉可能に設けられた蓋と、を有する収納ボックスであって、前記蓋には請求項１記載の点灯装置が設けられていることを特徴とする収納ボックスである。
【００１５】
本発明では、点灯装置が傾斜スイッチを備えており、本体の傾斜角度によって傾斜スイッチが電力のオン／オフを行う。
【発明の効果】
【００１６】
本発明によれば、点灯装置が、本体の傾斜角度によって電力のオン／オフを行うため、収納ボックスの形状によらず点灯装置を取り付けることができ、生産性とコストが改善される。
【発明を実施するための最良の形態】
【００１７】
以下、図面に基づいて本発明に好適な実施形態を詳細に説明する。図１は、本実施形態に係る点灯装置１を示す斜視図であって、図２は図１のＡ方向内部矢視図である。
【００１８】
図１および図２に示すように、点灯装置１は箱型の本体３を有し、本体３の内部には発光部１７ａ、１７ｂ、１７ｃ、１７ｄが設けられている。
発光部１７ａ、１７ｂ、１７ｃ、１７ｄの一部は、本体３の外部に露出している。
【００１９】
発光部１７ａ、１７ｂ、１７ｃ、１７ｄには、配線１５を介して傾斜スイッチ１３が接続されており、傾斜スイッチ１３には、配線１１を介して、第１のスイッチとしてのメインスイッチ９が接続されている。
メインスイッチ９の一部は、本体３の外部に露出している。
【００２０】
メインスイッチ９には、配線７を介して、給電部としての電池５ａ、５ｂ、５ｃが接続されている。
電池５ａ、５ｂ、５ｃは、導電板１９および配線１５を介して発光部１７ａ、１７ｂ、１７ｃ、１７ｄに接続されている。
【００２１】
本体３は、点灯装置１の各構成部材を収納する箱状の部材であり、材質は例えばアクリル、プラスチック等である。
【００２２】
発光部１７ａ、１７ｂ、１７ｃ、１７ｄは、電池５ａ、５ｂ、５ｃからの電力の供給を受けて点灯する部材であり、ＬＥＤ（Light Emitting Diode）、白熱球、蛍光灯等が用いられる。
【００２３】
発光部１７ａ、１７ｂ、１７ｃ、１７ｄは、点灯装置１の小型化や過熱防止のため、点灯の際の消費電力が小さいものが望ましい。
従って、上記の発光体の中でも、特にＬＥＤを用いるのが望ましい。
【００２４】
傾斜スイッチ１３は、電池５ａ、５ｂ、５ｃから供給された電力のオン／オフを行うスイッチであるが、本体３の傾斜角度によって電力のオン／オフを行う。
なお、傾斜スイッチ１３の詳細な構造は後述する。
【００２５】
メインスイッチ９も、電池５ａ、５ｂ、５ｃから供給された電力のオン／オフを行うスイッチである。
メインスイッチ９はプッシュボタン式のスイッチであり、点灯装置１の使用者が直接操作する。
なお、メインスイッチ９のプッシュボタンの部分は本体３の外部に露出している。
電池５ａ、５ｂ、５ｃは、発光部１７ａ、１７ｂ、１７ｃ、１７ｄに電力を供給する。
【００２６】
即ち、点灯装置１は、メインスイッチ９および傾斜スイッチ１３がオンになると、電池５ａ、５ｂ、５ｃから発光部１７ａ、１７ｂ、１７ｃ、１７ｄに電力が供給され、発光部１７ａ、１７ｂ、１７ｃ、１７ｄは点灯する。
【００２７】
一方、メインスイッチ９および傾斜スイッチ１３のいずれかがオフになると、電池５ａ、５ｂ、５ｃから発光部１７ａ、１７ｂ、１７ｃ、１７ｄに電力が供給されず、発光部１７ａ、１７ｂ、１７ｃ、１７ｄは消灯する。
【００２８】
次に、傾斜スイッチ１３の構造およびオン／オフ動作について説明する。
図３は図２のＢ方向内部矢視図であって、図４は傾斜スイッチ１３を示す斜視図、図５は図４の接点部２７の拡大図、図６は図５の平面図、図７は図４のＥ方向矢視図である。
【００２９】
さらに、図８（ａ）は図３の状態から本体３をＥ方向に９０°回転させた状態を示す図、図８（ｂ）は図８（ａ）の状態から本体３をＥ方向に９０°回転させた状態を示す図、図８（ｃ）は図８（ｂ）の状態から本体３をＥ方向に９０°回転させた状態を示す図である。
【００３０】
まず、傾斜スイッチ１３の構造について説明する。
図３および図４に示すように、傾斜スイッチ１３は箱状のケース２１を有し、ケース２１内には空間２１ａが設けられている。
ケース２１は、本体３の側面とは、角度４をもって設けられている。
【００３１】
空間２１ａ内には磁石２３および重り２５が設けられている。
磁石２３および重り２５は固定されていないため、本体３が傾斜すると、重力によって図３のＣ方向およびＤ方向に移動可能である。
【００３２】
なお、空間２１ａの内側の面には、磁石２３および重り２５が移動しやすいように、カーボン等の固体潤滑剤が塗布されている。
なお、固体潤滑剤は、磁石２３および重り２５に直接塗布されていてもよい。
【００３３】
磁石２３は磁気を帯びた部材であり、フェライト磁石等が用いられる。
重り２５は後述するように、磁石２３を押圧する部材であり、材料としては鉛等が用いられる。
【００３４】
一方、図４に示すように、ケース２１に近接して接点部２７が設けられている。
図５および図６に示すように、接点部２７は、第１の端子としての端子２９ａを有しており、端子２９ａに近接して第２の端子としての端子２９ｂが設けられている。
【００３５】
端子２９ａと端子２９ｂはガラス管３０に覆われて保護されている。
端子２９ａ、２９ｂは磁性体でかつ導電体であり、材質は鉄やニッケルである。
なお、図５および図６に示すように、通常は、端子２９ａと端子２９ｂは接触していない。
【００３６】
端子２９ａは、図２に示す配線１５を介して発光部１７ａ、１７ｂ、１７ｃ、１７ｄに接続されている。
一方、端子２９ｂは図２に示す配線１１、メインスイッチ９および配線７を介して電池５ａ、５ｂ、５ｃに接続されている。
【００３７】
即ち、メインスイッチ９がオンになっており、かつ端子２９ａと端子２９ｂが接触すれば、傾斜スイッチ１３がオンになり、電池５ａ、５ｂ、５ｃから発光部１７ａ、１７ｂ、１７ｃ、１７ｄに電力が供給され、発光部１７ａ、１７ｂ、１７ｃ、１７ｄは点灯する。
【００３８】
次に、傾斜スイッチ１３のオン／オフ動作について説明する。
なお、以下の例ではメインスイッチ９はオンになっているものとする。
【００３９】
まず、本体３が図３の状態では、磁石２３は重力によって空間２１ａ内をＣ方向に移動し、接点部２７に近接する。
すると、端子２９ａと端子２９ｂは磁性体であるため、図７に示すように、磁石２３に引き付けられてＦ方向に移動し、互いに接触する。
【００４０】
この状態では、電池５ａ、５ｂ、５ｃから発光部１７ａ、１７ｂ、１７ｃ、１７ｄに電力が供給され、発光部１７ａ、１７ｂ、１７ｃ、１７ｄは点灯する。
【００４１】
一方、図３の状態から本体３を傾斜させ、Ｅ方向に９０°回転した状態にすると、図８（ａ）に示すように、磁石２３は重力によってＤ方向に移動し、接点部２７から離れる。
【００４２】
この際、同時に重り２５も重力によってＤ方向に移動して磁石２３を押圧するので、磁石２３の磁力が強力で、磁石２３の重さのみでは、磁石２３が接点部２７に近接したまま移動しない場合でも、磁石２３をＤ方向に移動させることができる。
【００４３】
磁石２３がＤ方向に移動して、接点部２７から離れると、端子２９ａと端子２９ｂは離れるため、電池５ａ、５ｂ、５ｃから発光部１７ａ、１７ｂ、１７ｃ、１７ｄに電力が供給されず、発光部１７ａ、１７ｂ、１７ｃ、１７ｄは消灯する。
【００４４】
さらに、本体３を傾斜させ、図８（ａ）の状態からＥ方向に９０°回転した状態にすると、図８（ｂ）に示すように、磁石２３は重力によってＤ方向に移動し、接点部２７から離れるため、電池５ａ、５ｂ、５ｃから発光部１７ａ、１７ｂ、１７ｃ、１７ｄに電力が供給されず、発光部１７ａ、１７ｂ、１７ｃ、１７ｄは消灯する。
【００４５】
一方、さらに、本体３を傾斜させ、図８（ｂ）の状態からＥ方向に９０°回転した状態にすると、図８（ｃ）に示すように、磁石２３は重力によってＣ方向に移動し、接点部２７に近接するため、端子２９ａと端子２９ｂは磁石２３に引き付けられて互いに接触する。
従って、電池５ａ、５ｂ、５ｃから発光部１７ａ、１７ｂ、１７ｃ、１７ｄに電力が供給され、発光部１７ａ、１７ｂ、１７ｃ、１７ｄは点灯する。
【００４６】
このように、点灯装置１は、本体３の傾斜角度によって発光部１７ａ、１７ｂ、１７ｃ、１７ｄが点灯、消灯する。
【００４７】
なお、発光部１７ａ、１７ｂ、１７ｃ、１７ｄが点灯、消灯する傾斜角度は、本体３とケース２１のなす角度４を変更することによって、任意に設定可能である。
【００４８】
また、発光部１７ａ、１７ｂ、１７ｃ、１７ｄが点灯、消灯する傾斜角度は、磁石２３および重り２５が、ケース２１内を移動するに際にケース２１との間に発生する摩擦力を調整することによっても、設定可能である。
【００４９】
次に、点灯装置１の使用例について説明する。
図９は点灯装置１を設けた収納ボックス３１を示す側面図である。
【００５０】
収納ボックス３１は上面が開放された箱状の本体３３を有し、本体３３の上面には蓋３４が設けられている。
蓋３４は、図示しないヒンジ等を用いて本体３３と連結されている。
蓋３４の裏面には点灯装置１が設けられている。
収納ボックス３１は例えば工具箱である。
【００５１】
図９（ａ）に示すように、蓋３４を閉じた状態では、点灯装置１は図８（ｂ）の状態にあり、発光部１７ｄは消灯している。
【００５２】
一方、この状態から図９（ｂ）に示すように、蓋３４を開くと、点灯装置１は本体３の傾斜角度が変化して図８（ｃ）の状態になり、発光部１７ｄは点灯する。
即ち、点灯装置１は、蓋３４が開いた状態でのみ点灯する。
【００５３】
ここで、点灯装置１は本体３の傾斜角度、即ち蓋３４の開閉角度で点灯、消灯するため、点灯装置１および収納ボックス３１に、点灯装置１の点灯と蓋３４の開閉を連動させるための加工を行う必要がない。
従って、収納ボックス３１の形状によらず点灯装置１を取り付けることができ、生産性とコストが改善される。
【００５４】
また、点灯装置１は本体３の傾斜角度で点灯、消灯するため、収納ボックス３１に限らず、上方に回転することにより開閉する蓋を有するものであれば、どんな構造物にも取り付けることができる。
【００５５】
例えば、自動車のトランクやボンネット、ハッチバック等に点灯装置１を取り付ければ、これらの開閉に応じて点灯装置１が点灯、消灯する。
【００５６】
このように、第１の実施形態によれば、点灯装置１が、本体３および本体３に設けられた電池５ａ、５ｂ、５ｃ、傾斜スイッチ１３、発光部１７ａ、１７ｂ、１７ｃ、１７ｄを有し、本体３の傾斜角度によって傾斜スイッチ１３が、電池５ａ、５ｂ、５ｃから発光部１７ａ、１７ｂ、１７ｃ、１７ｄに供給される電力のオン／オフを行う。
【００５７】
従って、収納ボックス３１の形状によらず点灯装置１を取り付けることができ、生産性とコストが改善される。
【００５８】
次に、第２の実施形態について説明する。
図１０は第２の実施形態に係る点灯装置３５を示す斜視図であって、図１１は図１０のＧ方向矢視図、図１２は図１１のＨ方向矢視図、図１３は図１０のＧ方向内部矢視図である。
また、図１４は接点部４１の拡大斜視図であって、図１５は図１３のＢ２方向内部矢視図である。
【００５９】
さらに、図１６（ａ）は図１５の状態から本体３をＥ方向に９０°回転させた状態を示す図、図１６（ｂ）は図１６（ａ）の状態から本体３をＥ方向に９０°回転させた状態を示す図、図１６（ｃ）は図１６（ｂ）の状態から本体３をＥ方向に９０°回転させた状態を示す図である。
【００６０】
なお、第２の実施形態において、第１の実施形態に係る点灯装置１と同様の機能を果たす要素には同一の番号を付し、説明を省略する。
【００６１】
第２の実施形態に係る点灯装置３５は、第１の実施形態に係る点灯装置１において、傾斜スイッチ１３ａが接点部４１をさらに有し、接点部４１に発光部３７を接続したものである。
【００６２】
図１０〜図１２に示すように、点灯装置３５には、発光部３７が設けられている。
発光部３７の構造は発光部１７ａ、１７ｂ、１７ｃ、１７ｄと同様であり、本体３の、発光部１７ａ、１７ｂ、１７ｃ、１７ｄが露出している面とは反対側の面を通して、一部が本体３の外部に露出している。
【００６３】
図１３に示すように発光部３７は、配線４３および導電板１９を介して電池５ａ、５ｂ、５ｃに接続されている。
また、発光部３７は配線４２を介して、傾斜スイッチ１３ａの接点部４１に接続されている。
【００６４】
傾斜スイッチ１３ａの接点部４１は、配線３９を介してメインスイッチ９に接続されている。
【００６５】
図１４に示すように、接点部４１の構造は接点部２７の構造と同様であり、第３の端子としての端子４３ａが設けられており、端子４３ａに近接して第４の端子としての端子４３ｂが設けられている。
【００６６】
端子４３ａと端子４３ｂはガラス管４５に覆われて保護されている。
端子４３ａは磁性体でかつ導電体であり、材質は鉄やニッケルである。
なお、図１４に示すように、通常は、端子４３ａと端子４３ｂは接触していない。
【００６７】
端子４３ａは配線４２を介して発光部３７に接続されている。
一方、端子４３ｂは配線３９、メインスイッチ９および配線７を介して電池５ａ、５ｂ、５ｃに接続されている。
【００６８】
即ち、メインスイッチ９がオンになっており、かつ端子４３ａと端子４３ｂが接触すれば、傾斜スイッチ１３ａがオンになり、電池５ａ、５ｂ、５ｃから発光部３７に電力が供給され、発光部３７は点灯する。
【００６９】
図１５に示すように、接点部４１はケース２１に近接して設けられているが、接点部２７とは離間して設けられている。
また、空間２１ａ内には重り４７がさらに設けられている。
重り４７の材質は重り２５と同様である。
【００７０】
次に、傾斜スイッチ１３ａのオン／オフ動作について説明する。
なお、以下の例ではメインスイッチ９はオンになっているものとする。
【００７１】
まず、本体３が図１５の状態では、磁石２３は重力によって空間２１ａ内をＣ方向に移動し、接点部２７に近接する。
すると、接点部２７の端子２９ａと端子２９ｂは磁性体であるため、図７に示すように、磁石２３に引き付けられてＦ方向に移動し、互いに接触する。
【００７２】
この状態では電池５ａ、５ｂ、５ｃから発光部１７ａ、１７ｂ、１７ｃ、１７ｄに電力が供給され、発光部１７ａ、１７ｂ、１７ｃ、１７ｄは点灯する。
一方、接点部４１と磁石２３は離間しているので、接点部４１の端子４３ａと端子４３ｂは接触せず、発光部３７は点灯しない。
【００７３】
一方、図１５の状態から本体３を傾斜させ、Ｅ方向に９０°回転した状態にすると、図１６（ａ）に示すように、磁石２３は重力によってＤ方向に移動し、接点部２７から離れる。
【００７４】
この状態では接点部２７の端子２９ａと端子２９ｂは離れるため、電池５ａ、５ｂ、５ｃから発光部１７ａ、１７ｂ、１７ｃ、１７ｄに電力が供給されず、発光部１７ａ、１７ｂ、１７ｃ、１７ｄは消灯する。
【００７５】
一方、磁石２３は接点部４１に近接するので、接点部４１の端子４３ａと端子４３ｂは磁石２３に引き付けられて互いに接触する。
この状態では電池５ａ、５ｂ、５ｃから発光部３７に電力が供給され、発光部３７は点灯する。
【００７６】
さらに、本体３を傾斜させ、図１６（ａ）の状態からＥ方向に９０°回転した状態にすると、図１６（ｂ）に示すように、磁石２３は重力によってＤ方向に移動し、接点部２７から離れる。
従って、電池５ａ、５ｂ、５ｃから発光部１７ａ、１７ｂ、１７ｃ、１７ｄに電力が供給されず、発光部１７ａ、１７ｂ、１７ｃ、１７ｄは消灯する。
【００７７】
一方、磁石２３は接点部４１に近接するので、接点部４１の端子４３ａと端子４３ｂは磁石２３に引き付けられて互いに接触する。
この状態では電池５ａ、５ｂ、５ｃから発光部３７に電力が供給され、発光部３７は点灯する。
【００７８】
一方、さらに、本体３を傾斜させ、図１６（ｂ）の状態からＥ方向に９０°回転した状態にすると、図１６（ｃ）に示すように、磁石２３は重力によってＣ方向に移動し、接点部２７に近接する。
従って、電池５ａ、５ｂ、５ｃから発光部１７ａ、１７ｂ、１７ｃ、１７ｄに電力が供給され、発光部１７ａ、１７ｂ、１７ｃ、１７ｄは点灯する。
【００７９】
一方、接点部４１と磁石２３は離れるので、端子４３ａと端子４３ｂは接触せず、発光部３７は点灯しない。
【００８０】
なお、磁石２３が移動する際は、同時に重り４７も重力によってＣ方向に移動して磁石２３を押圧するので、磁石２３の磁力が強力で、磁石２３の重さのみでは、磁石２３が接点部４１に近接したまま移動しない場合でも、磁石２３をＣ方向に移動させることができる。
【００８１】
このように、点灯装置３５は、本体３の傾斜角度によって発光部１７ａ、１７ｂ、１７ｃ、１７ｄ、および発光部３７が点灯、消灯するが、発光部１７ａ、１７ｂ、１７ｃ、１７ｄが点灯する傾斜角度のときは発光部３７が消灯し、発光部１７ａ、１７ｂ、１７ｃ、１７ｄが消灯する傾斜角度のときは発光部３７が点灯する。
【００８２】
次に、点灯装置３５の使用例について説明する。
図１７は点灯装置３５を設けた収納ボックス５１を示す側面図である。
【００８３】
図１７に示すように、収納ボックス５１は、収納ボックス３１と同様の構造を有し、蓋３４の裏面には点灯装置３５が設けられている。
【００８４】
図１７（ａ）に示すように、蓋３４を閉じた状態では、点灯装置３５は図１６（ｂ）の状態にあり、発光部１７ｄは消灯している。
一方、発光部３７は点灯している。
【００８５】
一方、この状態から図１７（ｂ）に示すように、蓋３４を開くと、点灯装置３５は本体３の傾斜角度が変化して図１６（ｃ）の状態になり、発光部１７ｄは点灯する。
一方、発光部３７は消灯する。
【００８６】
従って、蓋３４が閉じた状態で発光部３７が点灯することにより、収納ボックス５１の使用者は、点灯装置３５のメインスイッチ９がオンになっていることを知ることができ、メインスイッチ９の切り忘れによる電池５ａ、５ｂ、５ｃの消耗を防ぐことができる。
【００８７】
このように、第２の実施形態によれば、点灯装置３５が、本体３および本体３に設けられた電池５ａ、５ｂ、５ｃ、傾斜スイッチ１３ａ、発光部１７ａ、１７ｂ、１７ｃ、１７ｄを有し、本体３の傾斜角度によって傾斜スイッチ１３ａが、電池５ａ、５ｂ、５ｃから発光部１７ａ、１７ｂ、１７ｃ、１７ｄに供給される電力のオン／オフを行う。
【００８８】
従って、第１の実施形態と同様の効果を奏する。
【００８９】
また、第２の実施形態によれば、点灯装置３５が、発光部３７を有し、発光部３７は、発光部１７ａ、１７ｂ、１７ｃ、１７ｄが点灯する傾斜角度の場合は消灯し、発光部１７ａ、１７ｂ、１７ｃ、１７ｄが消灯する傾斜角度の場合は点灯する。
【００９０】
従って、点灯装置３５の使用者は、発光部１７ａ、１７ｂ、１７ｃ、１７ｄが消灯している場合でも、メインスイッチ９がオンになっていることを知ることができ、メインスイッチ９の切り忘れによる電池５ａ、５ｂ、５ｃの消耗を防ぐことができる。
【００９１】
次に、第３の実施形態について説明する。
図１８は第３の実施形態に係る点灯装置５３を示す内部平面図である。
【００９２】
なお、第３の実施形態において、第１の実施形態に係る点灯装置１と同様の機能を果たす要素には同一の番号を付し、説明を省略する。
【００９３】
第３の実施形態に係る点灯装置５３は、第１の実施形態に係る点灯装置１において、メインスイッチ９と発光部１７ａ、１７ｂ、１７ｃ、１７ｄの間にサブスイッチ５５を設けたものである。
【００９４】
図１８に示すように、点灯装置５３は、メインスイッチ９と発光部１７ａ、１７ｂ、１７ｃ、１７ｄの間に、第２のスイッチとしてのサブスイッチ５５が接続されている。
【００９５】
サブスイッチ５５は、メインスイッチ９と同じプッシュボタン式のスイッチであり、点灯装置５３の使用者が直接操作する。
なお、サブスイッチ５５は、プッシュボタンの部分が本体３の外部に露出している。
【００９６】
即ち、メインスイッチ９およびサブスイッチ５５をオンにすると、傾斜スイッチ１３のオン／オフに関係なく、発光部１７ａ、１７ｂ、１７ｃ、１７ｄは点灯する。
従って、点灯装置５３の傾斜角度によらず、発光部１７ａ、１７ｂ、１７ｃ、１７ｄを点灯させることができる。
【００９７】
このように、第３の実施形態によれば、点灯装置５３が、本体３および本体３に設けられた電池５ａ、５ｂ、５ｃ、傾斜スイッチ１３、発光部１７ａ、１７ｂ、１７ｃ、１７ｄを有し、本体３の傾斜角度によって傾斜スイッチ１３が、電池５ａ、５ｂ、５ｃから発光部１７ａ、１７ｂ、１７ｃ、１７ｄに供給される電力のオン／オフを行う。
【００９８】
従って、第１の実施形態と同様の効果を奏する。
【００９９】
また、第３の実施形態によれば、点灯装置５３は、メインスイッチ９と発光部１７ａ、１７ｂ、１７ｃ、１７ｄの間にサブスイッチ５５が設けられており、メインスイッチ９およびサブスイッチ５５をオンにすると、傾斜スイッチ１３のオン／オフに関係なく、発光部１７ａ、１７ｂ、１７ｃ、１７ｄが点灯する。
【０１００】
従って、点灯装置５３の傾斜角度によらず、発光部１７ａ、１７ｂ、１７ｃ、１７ｄを点灯させることができる。
【０１０１】
次に、第４の実施形態について説明する。
図１９は第４の実施形態にかかる点灯装置５７を示す内部平面図である。
【０１０２】
なお、第４の実施形態において第１の実施形態に係る点灯装置１と同様の機能を果たす要素には同一の番号を付し、説明を省略する。
【０１０３】
第４の実施形態に係る点灯装置５７は、第１の実施形態に係る点灯装置１において、給電部として、電池５ａ、５ｂ、５ｃではなく電源アダプタ５９を設けたものである。
【０１０４】
図１９に示すように、点灯装置５７は、給電部としての電源アダプタ５９を有している。
電源アダプタ５９は、配線７を介してメインスイッチ９に接続されており、また、配線１５を介して発光部１７ａ、１７ｂ、１７ｃ、１７ｄに接続されている。
【０１０５】
電源アダプタ５９は、コンセントや自動車のシガーライターソケット等の、図示しない電源装置に接続され、電源装置から供給された電力を発光部１７ａ、１７ｂ、１７ｃ、１７ｄに供給する。
【０１０６】
このように、電源アダプタ５９を設け、電力を外部から供給することにより、電池切れの心配なく点灯装置５７を使用できる。
【０１０７】
このように、第４の実施形態によれば、点灯装置５７が、本体３および本体３に設けられた電源アダプタ５９、傾斜スイッチ１３、発光部１７ａ、１７ｂ、１７ｃ、１７ｄを有し、本体３の傾斜角度によって傾斜スイッチ１３が、電源アダプタ５９から発光部１７ａ、１７ｂ、１７ｃ、１７ｄに供給される電力のオン／オフを行う。
【０１０８】
従って、第１の実施形態と同様の効果を奏する。
【０１０９】
また、第４の実施形態によれば、点灯装置５７が電源アダプタ５９を有し、電力は電源アダプタ５９を介して外部から供給される。
従って、電池切れの心配なく点灯装置５７を使用できる。
【０１１０】
以上、添付図面を参照しながら、本発明の実施形態を説明したが、本発明の技術的範囲は、前述した実施形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【図面の簡単な説明】
【０１１１】
【図１】点灯装置１を示す斜視図
【図２】図１のＡ方向内部矢視図
【図３】図２のＢ方向内部矢視図
【図４】傾斜スイッチ１３を示す斜視図
【図５】図４の接点部２７の拡大図
【図６】図５の平面図
【図７】図４のＥ方向矢視図
【図８（ａ）】図３の状態から本体３をＥ方向に９０°回転させた状態を示す図
【図８（ｂ）】図８（ａ）の状態から本体３をＥ方向に９０°回転させた状態を示す図
【図８（ｃ）】図８（ｂ）の状態から本体３をＥ方向に９０°回転させた状態を示す図
【図９】点灯装置１を設けた収納ボックス３１を示す側面図
【図１０】点灯装置３５を示す斜視図
【図１１】図１０のＧ方向矢視図
【図１２】図１１のＨ方向矢視図
【図１３】図１０のＧ方向内部矢視図
【図１４】接点部４１の拡大斜視図
【図１５】図１３のＢ２方向内部矢視図
【図１６（ａ）】図１５の状態から本体３をＥ方向に９０°回転させた状態を示す図
【図１６（ｂ）】図１６（ａ）の状態から本体３をＥ方向に９０°回転させた状態を示す図
【図１６（ｃ）】図１６（ｃ）は図１６（ｂ）の状態から本体３をＥ方向に９０°回転させた状態を示す図
【図１７】点灯装置３５を設けた収納ボックス５１を示す側面図
【図１８】点灯装置５３を示す内部平面図
【図１９】点灯装置５７を示す内部平面図
【符号の説明】
【０１１２】
１…………点灯装置
３…………本体
５ａ………電池
７…………配線
９…………メインスイッチ
１１………配線
１３………傾斜スイッチ
１５………配線
１７………発光部
１９………導電板
２１………ケース
２１ａ……空間
２３………磁石
２５………重り
２７………接点部
２９ａ……端子
３１………収納ボックス
３３………本体
３４………蓋
３５………点灯装置
３７………発光部
４１………接点部
４７………重り
５１………収納ボックス
５３………点灯装置
４５………サブスイッチ
５７………点灯装置
５９………電源アダプタ
【図１】
2008041344.tif 000003
【図２】
2008041344.tif 000004
【図３】
2008041344.tif 000005
【図４】
2008041344.tif 000006
【図５】
2008041344.tif 000007
【図６】
2008041344.tif 000008
【図７】
2008041344.tif 000009
【図８（ａ）】
2008041344.tif 000010
【図８（ｂ）】
2008041344.tif 000011
【図８（ｃ）】
2008041344.tif 000012
【図９】
2008041344.tif 000013
【図１０】
2008041344.tif 000014
【図１１】
2008041344.tif 000015
【図１２】
2008041344.tif 000016
【図１３】
2008041344.tif 000017
【図１４】
2008041344.tif 000018
【図１５】
2008041344.tif 000019
【図１６（ａ）】
2008041344.tif 000020
【図１６（ｂ）】
2008041344.tif 000021
【図１６（ｃ）】
2008041344.tif 000022
【図１７】
2008041344.tif 000023
【図１８】
2008041344.tif 000024
【図１９】
2008041344.tif 000025